(57)【要約】【課題】本発明は、スキャナミラー調整作業を能率よく簡単に行なうことができ、作業能率を向上させた画像読取装置およびそのミラー調整機構を提供する。【解決手段】画像読取装置は、原稿３５を露光するランプ３３および原稿３５からの反射光を反射する第１反射ミラー３４を備えた第１キャリッジ３０と、第１キャリッジ３０からの反射光を折り返す第２および第３反射ミラー３７，３８を備えた第２キャリッジ３２と、第３反射ミラー３８が反射した反射光を画像センサ２６に結像させる結像光学ユニット２７と、少なくとも、第１キャリッジ３０、第２キャリッジ３１、結像光学ユニット２７および画像センサ２６を内部に保持し、その上面は原稿を置く原稿ガラス２１で覆われ、その表面の一部は取外し可能な部材２４で覆われた穴６５を有する本体ケーシング２０と、第２反射ミラーの一端に設けられ、第２反射ミラーの角度を調整するミラー角度調整機構５５とを備え、ミラー角度調整機構５５は、前記穴６５から第２反射ミラー３７の角度を調整可能としたものである。【選択図】  図２
2006259679.tif 000002
【特許請求の範囲】
【請求項１】
原稿を露光するランプおよび原稿からの反射光を反射する第１反射ミラーを備えた第１キャリッジと、
第１キャリッジからの反射光を折り返す第２および第３反射ミラーを備えた第２キャリッジと、
第３反射ミラーが反射した反射光を画像センサに結像させる結像光学ユニットと、
少なくとも、第１キャリッジ、第２キャリッジ、結像光学ユニットおよび画像センサを内部に保持し、その上面は原稿を置く原稿ガラスで覆われ、その表面の一部は取外し可能な部材で覆われた穴を有する本体ケーシングと、
第２反射ミラーの一端に設けられ、第２反射ミラーの角度を調整するミラー角度調整機構とからなり、
前記ミラー角度調整機構は、前記穴から第２反射ミラーの角度を調整可能とした画像読取装置。
【請求項２】
請求項１に記載の画像読取装置において、
前記第２キャリッジは、第２反射ミラーの両端を支持し、かつこの第２キャリッジに対して固定された一対のホルダーを有し、
前記ミラー角度調整機構は、このホルダーの一端側に設けられる画像読取装置。
【請求項３】
請求項２に記載の画像読取装置において、
前記ミラー角度調整機構は、前記第２反射ミラーの一端に取り付けられ、前記ホルダーに対して前記第２反射ミラー面に垂直な方向にスライド可能なスライド部材と、
前記ホルダーに対するこのスライド部材のスライド量を調整する調整ねじとを有する画像読取装置。
【請求項４】
請求項３に記載の画像読取装置において、
前記第２反射ミラーは、前記ホルダーと前記スライド部材とにそれぞれ開いた穴に挿入される画像読取装置。
【請求項５】
請求項３に記載の画像読取装置において、
前記ホルダーは、前記スライド部材のスライド方向をガイドするガイド部材を有する画像読取装置。
【請求項６】
請求項３に記載の画像読取装置において、
前記調整ねじの締付方向の延長線上に、前記本体ケーシングの穴が設けられている画像読取装置。
【請求項７】
請求項１に記載の画像読取装置において、
前記第２キャリッジを調整する位置に移動するための指示を入力するコントロールパネルをさらに有する画像読取装置。
【請求項８】
ミラーを保持するキャリッジと、
このミラーの両端を支持し、かつ前記キャリッジに対して固定された一対のホルダーと、
前記ホルダーの少なくとも１つに設けられたミラー角度調整機構とからなる画像読取装置のミラー調整機構。
【請求項９】
請求項８に記載の画像読取装置のミラー調整機構において、
前記ミラー角度調整機構は、
第２反射ミラーの一端に取り付けられ、前記ホルダーに対して前記第２反射ミラー面に垂直な方向にスライド可能なスライド部材と、
前記ホルダーに対するこのスライド部材のスライド量を調整する調整ねじとを有する画像読取装置のミラー調整機構。
【請求項１０】
請求項９に記載の画像読取装置のミラー調整機構において、
前記第２反射ミラーは、前記ホルダーとスライド部材とにそれぞれ開いた穴に挿入される画像読取装置のミラー調整機構。
【請求項１１】
請求項１０に記載の画像読取装置のミラー調整機構において、
前記第２反射ミラーは、弾性体により前記スライド部材に押圧される画像読取装置のミラー調整機構。
【請求項１２】
請求項１１に記載の画像読取装置のミラー調整機構において、
前記弾性体の一端は、前記ホルダーに固定されている画像読取装置のミラー調整機構。
【請求項１３】
請求項１２に記載の画像読取装置のミラー調整機構において、
前記ホルダーは、前記スライド部材のスライド方向をガイドするガイド部材を有する画像読取装置のミラー調整機構。
【発明の詳細な説明】
【技術分野】
【０００１】
本発明は、原稿上の画像を結像光学系を用いて読み取る画像読取り技術に係り、特に、読取り画像の画像傾き調整をスキャナユニット外部から簡単かつ容易に行ない得る画像読取装置およびそのミラー調整機構に関する。
【背景技術】
【０００２】
従来、複写機に搭載されるイメージスキャナや、単体のスキャナユニットは、その内部に載置されている光学ユニット（第１キャリッジ、第２キャリッジ）の傾きを調整する機構を有している。
【０００３】
特開平６−２２０９６号公報（特許文献１）には、この調整機構の一例として上記キャリッジの傾き調整機構が記載されている。この調整機構は第１キャリッジおよび第２キャリッジの両端に設けられた駆動用ワイヤのどちらか一方の長さを調整する機能を有する。この調整機構はスキャナ外部からアクセス可能となっている。
【０００４】
しかしながら、キャリッジの傾き調整機構は、駆動用ワイヤに負荷を与える可能性があり、また、キャリッジの傾きのみ調整するものである。キャリッジに搭載された反射ミラーの傾きは調整することができないという欠点があった。
【特許文献１】特開平６−２２０９６号公報
【発明の開示】
【発明が解決しようとする課題】
【０００５】
本発明は、上述した事情を考慮してなされたもので、スキャナミラー調整作業を能率よく簡単に行なうことができ、作業効率を向上させた画像読取装置およびそのミラー調整機構を提供することを目的とする。
【課題を解決するための手段】
【０００６】
本発明の画像形成装置は、上述した目的を達成するために、原稿を露光するランプおよび原稿からの反射光を反射する第１反射ミラーを備えた第１キャリッジと、第１キャリッジからの反射光を折り返す第２および第３反射ミラーを備えた第２キャリッジと、第３反射ミラーが反射した反射光を画像センサに結像させる結像光学ユニットと、少なくとも、第１キャリッジ、第２キャリッジ、結像光学ユニットおよび画像センサを内部に保持し、その上面は原稿を置く原稿ガラスで覆われ、その表面の一部は取外し可能な部材で覆われた穴を有する本体ケーシングと、第２反射ミラーの一端に設けられ、第２反射ミラーの角度を調整するミラー角度調整機構とからなり、前記ミラー角度調整機構は、前記穴から第２反射ミラーの角度を調整可能としたものである。
【０００７】
また、本発明に係る画像形成装置のミラー調整機構は、上述した目的を達成するために、ミラーを保持するキャリッジと、このミラーの両端を支持し、かつ前記キャリッジに対して固定された一対のホルダーと、前記ホルダーの少なくとも１つに設けられたミラー角度調整機構とからなるものである。
【発明の効果】
【０００８】
本発明に係る画像読取装置およびそのミラー調整機構は、スキャナユニット外部からミラー角度調整を行なって、読取り画像の画像傾き調整を簡単かつ容易に行ない、スキャナミラー調整作業を能率よく簡単に行なうことができ、作業能率を向上させることができる。
【発明を実施するための最良の形態】
【０００９】
本発明に係る画像読取装置の一実施形態について添付図面を参照して説明する。
【００１０】
本発明に係る画像読取装置は、ＭＦＰや複写機、イメージスキャナ等の画像読取り部に適用される。図１は本発明の画像読取装置をＭＦＰ１０に適用した例を示すＭＦＰ１０の概略図である。
【００１１】
ＭＦＰ１０は、装置本体を構成する本体ケーシング１１の上部にスキャナユニット１２が設置される。このスキャナユニット１２上に原稿を自動送りする自動原稿送り装置１３が設けられる。自動原稿送り装置１３は原稿を反転させて両面送り可能とした自動両面原稿送り装置であってもよい。
【００１２】
本体ケーシング１１内には用紙に印刷を施すプリンタ装置１５が収容される一方、本体ケーシング１１下部に給紙台車１６が設けられる。給紙台車１６には、複数の給紙カセットが収容され、各給紙カセットに複数種の用紙が自動送り可能に収納されている。
【００１３】
本体ケーシング１１の一側方（右側）には、用紙を手差し送り可能に保持する手差しトレイ１７が開閉自在に設けられ、その他側方（左側）にはプリンタ装置で印刷された用紙を堆積させる排紙トレイ１８が設けられる。
【００１４】
図２はスキャナユニット１２の側方断面図を示している。スキャナユニット１２のユニットケーシングあるいは本体ケーシングを構成するユニットフレーム２０の頂部に原稿を載置可能な矩形の原稿台ガラス２１が設けられる。原稿台ガラス２１は透明なガラス材料で形成されるが、アクリル樹脂等の透明な樹脂材料で形成してもよい。
【００１５】
原稿台ガラス２１は、ユニットフレーム２０上に設置され、ガラス押え２２により保持される。ガラス押え２２の反対側には原稿台ガラス２１に載置される原稿を所定位置にガイドする原稿ガイド２３が設置されている。また、ユニットフレーム２０は原稿台ガラス２１を除いた周囲が取外し可能な部材である樹脂製のトップカバー２４で覆われ、スキャナユニット１２内が密閉される。
【００１６】
スキャナユニット１２内には、原稿台ガラス２１上に載置された原稿を照射して得られる原稿からの反射光を伝送する走査光学系２５と、この走査光学系２５により送られた原稿画像を画像センサ２６上に結像させる結像光学系２７とが設けられる。結像光学系２７で結像された原稿画像はＣＣＤラインセンサやＣＭＯＳセンサ等の画像センサ２６で読み取られるようになっている。
【００１７】
走査光学系２５は、スキャナユニット１２のフロント側からリアー側に延設される第１キャリッジ３０と第２キャリッジ３１からなる。この第１および第２キャリッジ３０，３１は、スキャナ駆動モータ４３により図示しない案内レール上を原稿台ガラス２１の長手方向に例えば２対１の速度比を保って往復移動可能である。第１キャリッジ３０は光源ランプ３３と第１反射ミラー３４を保持する。この光源ランプ３３は原稿台ガラス２１に載置された原稿３５を照射し、その反射光を細長い矩形状平面ミラーである第１反射ミラー３４により第２キャリッジ３１に案内される。
【００１８】
第２キャリッジ３１は、図２および３に示すように第２反射ミラー３７と第３反射ミラー３８とからなる。この第２および第３反射ミラー３７，３８は、反射光を折返し可能に案内するように、９０度のミラー面角度をなして直交するように配置され、第１キャリッジ３０からの反射光を折り返して結像光学系２７へ導いている。第２キャリッジ３１の第２および第３反射ミラー３７，３８も第１反射ミラー３４と同様、細長い矩形状平面ミラーで形成され、スキャナユニット１２のフロント側からリアー側に向って延設されている。
【００１９】
第２キャリッジ３１は、図３に示すように、矩形状のキャリッジフレーム４０と、このキャリッジフレーム４０のフロント側およびリアー側に対をなして対向設置されるプレート状のミラーホルダ４１ａ，４１ｂを持つ。このミラーホルダ４１ａ，４１ｂは、プレート状のキャリッジフレーム４０に小ねじ等で固定される。このミラーホルダ４１ａ，４１ｂに第２および第３の反射ミラー３７，３８が保持される。
【００２０】
キャリッジフレーム４０のフロント側およびリア側には、図示しない駆動用ワイヤが掛けられた従動プーリ４４が配設される。第１キャリッジ３０および第２キャリッジ３１の斜行調整は、図示しない斜行調整機構によりワイヤの張力調整をすることにより行なわれる。駆動モータ４３の作動は、モータドライバ基板４５により作動制御される。画像センサで撮像された原稿画像もスキャナドライバ基板４６により作動制御される。モータドライバ基板４５およびスキャナドライバ基板４６は共通の基板上に設けられている。
【００２１】
図４および５は、第２および第３反射ミラー３７，３８の調整機構４７を示したものである。第２キャリッジ３１は、キャリッジフレーム４０のフロント側およびリアー側にミラーホルダ４１ａ，４１ｂを備え、各ミラーホルダ４１ａ，４１ｂはミラー保持開口部４８，４９に第２および第３反射ミラー３７，３８を板ばね５１，５２を介してそれぞれ弾性保持する。板ばね５１，５２は、第２および第３反射ミラー３７，３８のミラー端部に装着されて、ミラー端部を挟持し、補強している。
【００２２】
また、リアー側ミラーホルダ４１ｂは、リアー側からミラー角度調整機構５５を介して第２反射ミラー３７の一側を、「Ｓ」方向にミラー進退自在に保持している。
【００２３】
ミラー角度調整機構５５は、リアー側ミラーホルダ４１ｂの上側に位置する第２反射ミラー３７用ミラー保持開口部４８付近に設けられる。ミラー角度調整機構５５は、ミラーホルダ４１ｂ、調整ブラケット５６、板ばね５１と調整ねじ５８から構成される。
【００２４】
ミラーホルダ４１ｂは、第２キャリッジ３１に対して固定されている。このミラーホルダ４１ｂは、図４に示すように、ミラー保持開口部４８、板ばね固定用突起７０、スライド用ガイド部６３と支持ブラケット６０とから構成される。ミラー保持開口部４８は、第２反射ミラー３８が挿入される。突起７０は、板ばね５１の一端を固定するものである。
【００２５】
スライド用ガイド部６３は、開口部４８に対して、第２反射ミラー３７の反射面側に配置され、調整ブラケット５６のスライド方向を規制する。支持ブラケット６０は、開口部４８に対してスライド用ガイド部６３とは反対側に配置され、調整ねじ５８を支持する。この支持ブラケット６０は、第２反射ミラー３８の反射面と略平行で、かつミラーホルダ４１ａの一部を曲げて一体に形成されている。この支持ブラケット６０の中央部には調整ねじ５８が挿入されるねじガイド部５９が設けられている。このねじガイド部５９には、ねじ溝は掘られていない。
【００２６】
調整ブラケット５６は、段差の付いたプレートをベースにし、ミラー保持開口部６１、突起７２，７３、スライド用溝部６２と支持ブラケット７１とから構成される。ミラー保持開口部６１は、矩形状で、第２反射ミラー３７が挿入される。スライド用溝部６２は、第２反射ミラー３７の反射面に対して垂直な方向に延び、スライド用ガイド部６３に嵌め込むことにより、調整ブラケット５６を第２反射ミラー３７の反射面に対して垂直な方向にスライド可能としている。突起７２および７３は、開口部６１の一端に形成され、第２反射ミラー３７の反射面を２点で支持している。支持ブラケット７１は、第２反射ミラー３７の反射面と略平行で、かつ調整ブラケット５６と一体に形成されている。この支持ブラケット７１の中央部には、ねじ孔が掘られ、調整ねじ５８が挿入されるねじガイド部５７が設けられている。
【００２７】
図６は、板ばね５１の斜視図を示す。この板ばね５１は、切欠部７４とミラー押圧部７５が設けられている。この切欠部７４は、ミラーホルダ４１ｂの突起７０に嵌め込まれる。したがって、板ばね５１の一端は、ミラーホルダ４１ｂに固定される。ミラー押圧部７５は、第２反射ミラー３７の背面中央部を押す。
【００２８】
図７は、ミラー調整機構５５の断面図を示す。調整ブラケット５６は、第２キャリッジ３１に固定されたミラーホルダ４１ｂの外側に取り付けられ、スライド用ガイド６３とスライド用溝部６２によりＳ方向にスライド可能である。第２反射ミラー３７は、ミラー開口保持部４８とミラー保持開口部６１の中に挿入される。板ばね５１の切欠部７４は、ミラーホルダ４１ｂの突起７０に嵌め込まれる。板ばね５１のミラー押圧部７５は、第２反射ミラー３７の背面中央部を押し、その結果、第２反射ミラーの反射面７６は常に調整ブラケット５６の突起７２，７３を押す。つまり、板ばね５１によって、調整ブラケット５６は、常にＳ方向と平行なＣ方向に押し付けられている。また、板ばね５１の規制部７７，７８によって、第２反射ミラーは、その長手方向の移動が規制される。
【００２９】
一方、調整ねじ５８は、ミラーホルダ４１ｂの支持ブラケット６０ねじガイド５９に挿入され、次いで、調整ブラケット５６の支持ブラケット７１に設けられたねじガイド部５７に挿入される。調整ねじ５８は、板ばね５１のばね力によって常にＣ方向に力を受ける。結果、調整ねじ５８の頭は、常に支持ブラケット６０に密着している。
【００３０】
この状態で、調整者が調整ねじ５８を回すことにより、支持ブラケット６０と支持ブラケット７１との間隔が変化し、第２反射ミラー３７は、その角度が調整される。
【００３１】
なお、第２キャリッジ３１の調整位置において、調整ねじ５８の挿入方向の延長線上に、図２に示すように、治具ガイド穴６５が設けられている。
【００３２】
また、第２キャリッジ３１のリアー側ミラーホルダ４１ｂに設けられるミラー角度調整機構５５は、調整ねじ５８がスキャナユニット１２のリアー側で後上方を向くようにねじヘッドが突出して設けられる。
【００３３】
スキャナユニット１２は、図２に示すように、読取り画像領域Ａから外れた非画像領域Ｂに調整位置が形成され、第２キャリッジ３１が調整位置にキャリッジ移動されて調整位置をとるとき、ミラー角度調整機構５５の調整ねじ５８はスキャナユニット１２のリアー側で後上方を向き、調整ねじ５８のねじヘッドがユニットフレーム２０の治具ガイド穴６５に対向するようにセットされる。
【００３４】
そして、第２キャリッジ３１が調整位置をとるとき、ユニットフレーム２０からトップカバー２４を取り外すと、治具ガイド穴６５が露出し、このガイド穴６５を介して操作治具である調整ドライバ６６を挿入し、ミラー角度調整機構５５の調整ねじ５８を回動操作させる。
【００３５】
ミラー角度調整機構５５の調整ねじ５８の回動操作は、原稿台ガラス２１を外すことなく、トップカバー２４を部分的に外すだけでスキャナユニット１２の外方から簡単かつ容易に行なうことができ、この調整ねじ５８の回動操作により、第２反射ミラー３７のミラー角度調整を行なうことができる。
【００３６】
ミラー角度調整機構５５の調整ねじ５８を操作して第２反射ミラー３７の角度調整をリアー側で第３反射ミラー３８に対して行なうことにより、原稿画像の画像傾き現象を、印刷媒体としての用紙に適合するように、正しく調節し、図８の（Ａ）および（Ｂ）に示すように、用紙６７に対して原稿画像６８ａ，６８ｂが主走査方向および副走査方向に傾斜する現象を解消することができる。
【００３７】
画像読取装置に適用されるＭＦＰ１０の概略制御ブロック図が図９に示される。ＭＦＰ１０全体を制御するＣＰＵ８０には、プリンタ制御部８１、モータドライバ基板４５、スキャナドライバ基板４６、コントロールパネル８２が接続されている。モータドライバ基板４５は、スキャナ駆動モータ４３の回転を制御する。スキャナドライバ基板４６は、画素センサ２６が接続され、画素センサ２６で読み込まれた画像をＣＰＵ８０へ伝送する。
【００３８】
次に、画像読取装置の作用を説明する。
【００３９】
ＭＦＰや複写機、イメージスキャナを作動させると、画像読取装置を構成するスキャナユニット１２も作動し、動作せしめられる。
【００４０】
プリンタ制御部８１は、プリンタ部１５の制御を行なう。コントロールパネル８２は、ユーザによる指示をＣＰＵ８０に伝える。この指示に基づいて、ＣＰＵ８０は、ＭＦＰ１０を制御する。
【００４１】
スキャナユニット１２が動作して、図２に示すように、原稿台ガラス２１上に原稿３５が、自動原稿送り装置１３により自動的に、また手動操作により、セットされる。
【００４２】
続いて、原稿台ガラス２１上に載置された原稿３５上に、第１キャリッジ３０の光源ランプ３３からランプ照射し、その反射光を第１反射ミラー３４で受け取り、第２キャリッジ３１側に反射させる。
【００４３】
第１キャリッジ３０の第１反射ミラー３４から案内された反射光は、第２キャリッジ３１の第２反射ミラー３７および第３反射ミラー３８で順次反射して折り返され、結像光学系２７の結像レンズに導かれて、ＣＣＤセンサ等の画像センサ２６上に結像され、原稿画像が読み出される。
【００４４】
第１キャリッジ３０と第２キャリッジ３１は、副走査方向に２：１の速度比で移動する。なお、副走査方向は、第２キャリッジの移動方向、主走査方向は、ミラー長手方向と一般に定義される。画像センサ２６上に結像された原稿画像はスキャナドライバ基板４６の作動制御により、図示しないメモリに一旦記憶された後、あるいは直接プリンタ装置１５に送られ、このプリンタ装置１５で用紙６７に印刷されるようになっている。
【００４５】
また、画像読取装置であるスキャナユニット１２の作動により、第１キャリッジ３０および第２キャリッジ３１にはスキャナ駆動モータ４３のモータ駆動力が伝達され、結像光学系２７の光軸に沿う方向に、所要の速度比を保って往復移動される。この往復移動により、第１キャリッジ３０は原稿台ガラス２１上に載置された原稿全面に亘って主走査方向（行方向）に移動し、第２キャリッジ３１は第１キャリッジ３０に追従移動せしめられる。
【００４６】
スキャナユニット１２の画像センサ２６での原稿読出し画像の主走査方向（行方向）および副走査方向（列方向）に、図８（Ａ）および（Ｂ）に示すように、原稿画像６８ａ，６８ｂのような歪み（distortion）が生じた場合には、ミラー角度調整機構５５によりスキャナミラー調整が行なわれる。
【００４７】
次に、図１０を用いてスキャナユニット１２の調整方法を説明する。
【００４８】
操作者が、スキャナユニット１２のスキャナ部で読み取られた画像をプリンタ部１５にて出力する。この出力結果に画像の傾きを操作者が確認した時（Ｓｔｅｐ１）、操作者はコントロールパネル８２を操作して、調整モードを起動させる（Ｓｔｅｐ２）。
【００４９】
調整モードが起動すると、スキャナモータ４３がキャリッジ待機位置から、ミラー調整位置まで第１および第２キャリッジ３０，３１を移動させるように回転し、止まる（Ｓｔｅｐ３）。
【００５０】
次に操作者は、治具ガイド穴６５を覆う部材を取り外す。操作者は、調整用のドライバを治具ガイド穴６５に挿入し（Ｓｔｅｐ４）、調整ねじ５８を回して、第２反射ミラー角度を微調整する（Ｓｔｅｐ５）。調整終了後、再度、プリンタ部１５にて画像を出力し、調整結果が正しいか否かを判断する。調整結果が良好であれば、治具ガイド穴６５を覆う部材を取り付け、コントロールパネル８２に調整完了を入力する。調整結果が不良であれば、再度、調整動作を行う。
【図面の簡単な説明】
【００５１】
【図１】本発明に係る画像読取装置を搭載したＭＦＰの概略図。
【図２】本発明に係る画像読取装置の一実施形態を示すスキャナユニットの側断面図。
【図３】本発明に係る画像読取装置としてのスキャナユニットに備えられる第２キャリッジの斜視図。
【図４】上記第２キャリッジをスキャナユニットのリアー側から見た部分的斜視図。
【図５】上記第２キャリッジのリアー側ミラーホルダおよびこのミラーホルダに取り付けられるミラー角度調整機構の調整ブラケットを示す分解斜視図。
【図６】ミラー角度調整機構に備えられる板ばねの斜視図。
【図７】７は、ミラー角度調整機構の断面を簡略的に示す図。
【図８】（Ａ）および（Ｂ）は原稿画像の傾き態様を用紙に対応させてそれぞれ例示する図。
【図９】画像読取装置の制御ブロックを簡略的に示す図。
【図１０】本発明に係る画像読取装置に備えられる第２キャリッジのミラー進退調整を示すフローチャート。
【符号の説明】
【００５２】
１０  ＭＦＰ
１１  本体ケーシング
１２  スキャナユニット
１３  自動原稿送り装置
１５  プリンタ装置
１６  給紙台車
１７  手差しトレイ
１８  排紙トレイ
２０  ユニットフレーム（ユニットケーシング，本体ケーシング）
２１  原稿台ガラス
２３  原稿ガイド
２４  トップカバー
２５  走査光学系
２６  画像センサ
２７  結像光学系
３０  第１キャリッジ
３１  第２キャリッジ
３３  光源ランプ
３４  第１反射ミラー
３５  原稿
３７  第２反射ミラー
３８  第３反射ミラー
４０  キャリッジフレーム
４１ａ，４１ｂ  ミラーホルダ
４３  スキャナ駆動モータ
４４  従動プーリ
４５  モータドライバ基板
４６  スキャナドライバ基板
４７  調整機構
５１，５２  板ばね
５５  ミラー角度調整機構
５６  調整ブラケット
５８  調整ねじ
６０，７１  支持ブラケット
６５  治具ガイド穴
６６  調整ドライバ
８０  ＣＰＵ
８１  プリンタ制御部
８２  コントロールパネル
【図１】
2006259679.tif 000003
【図２】
2006259679.tif 000004
【図３】
2006259679.tif 000005
【図４】
2006259679.tif 000006
【図５】
2006259679.tif 000007
【図６】
2006259679.tif 000008
【図７】
2006259679.tif 000009
【図８】
2006259679.tif 000010
【図９】
2006259679.tif 000011
【図１０】
2006259679.tif 000012